(57)【特許請求の範囲】
【請求項１】
プラグをプラグ受けに接続した状態に保持するプラグ保持装置であって、
プラグ受けが配置される壁又は筐体の表面に対して略垂直に取り付けられる支持脚部材と、
前記支持脚部材に取り付けられて、前記壁又は筐体の表面に対して略垂直に前記プラグの背面を押圧するように構成される押圧部材とを備え、
前記支持脚部材は、前記壁又は筐体の表面に対して略垂直に配置される、螺合軸又は螺合孔を有するとともに、前記押圧部材には、前記壁又は前記筐体の表面に対して略平行の状態を維持しつつ移動できる押圧面部に挿通孔が設けられて、
前記螺合軸を前記挿通孔に挿通させて螺合孔を有するナットで締め付けるか、又は、前記挿通孔にボルトを挿通させて前記螺合孔に締め付けるようになっている、プラグ保持装置。
【請求項２】
前記支持脚部材には、前記壁又は筐体の表面に対して略平行に旋回軸が取り付けられるとともに、前記押圧部材には、長孔が設けられて、
前記長孔に前記旋回軸が挿通されて、前記押圧部材が前記支持脚部材に対して旋回及び摺動できるように構成される、請求項１に記載されたプラグ保持装置。
【請求項３】
前記支持脚部材には、前記壁又は前記筐体の表面から間隔をあけて複数の取付孔が設けられて、いずれかの前記取付孔に前記旋回軸が取り付けられる、請求項２に記載されたプラグ保持装置。
【請求項４】
前記押圧部材と前記支持脚部材とを重ねた状態で、両者をまとめて把持するように外側に嵌合されて、前記壁又は前記筐体の表面に対して略垂直な方向にのみ前記押圧部材を移動できるようにするガイド部材をさらに備える、請求項１乃至請求項３のいずれか一項に記載されたプラグ保持装置。
【請求項５】
前記押圧部材の前面には、前記プラグの背面の起伏形状に追従して変形する緩衝部材が配置される、請求項１乃至請求項４のいずれか一項に記載されたプラグ保持装置。
【発明の詳細な説明】
【技術分野】
【０００１】
本発明は、プラグをプラグ受けに接続した状態に保持するプラグ保持装置に関するものである。
【背景技術】
【０００２】
従来から、電気機器等に電気を供給するために、ケーブルの一方の端部に配置されたプラグを壁側のコンセントに接続するようになっている。また、機器側でも、ケーブルの他方の端部に配置されたプラグをインレットに接続するようになっている。
【０００３】
しかしながら、プラグをコンセント又はインレットに差し込んでも、不用意にプラグが抜ける場合があった。つまり、プラグ先端の刃部材をばねで付勢された刃受部材で挟持させて、摩擦力のみによって抜けを防止することは困難であった。
【０００４】
このようにプラグが抜けたり緩んだりすると、刃部材と刃受部材との間の接触電気抵抗が増えたり、刃部材及び刃受部材が振動して電圧を発生させたりする、といった問題がある。さらに、医療機器等の重要な機器では、プラグが抜けると生命に関わる大きな問題となる。他にも、例えば、会社や工場などで誤って担当者以外の人が重要な機器のプラグを抜いてしまったり、カラオケボックスにおいていたずらでカラオケ機器のプラグを抜いたりする、といった問題も発生している。このように、故意、人為的、自然発生的を問わず、電源プラグ又はＩＥＣプラグが抜けると、記憶装置（例えば、ＨＤＤ（ハードディスクドライブ））等を内蔵した測定機器、工作機器、設備、通信データを記憶する通信カラオケ、及び通信ゲームなどは、（本体を正規にシャットダウンしないため）記憶データを破壊する恐れがある。
【０００５】
このような問題を解決するために、例えば、特許文献１のコネクタ保持装置は、接続端子を内蔵するコネクタボディ部を相手側部材に接近させる方向に、接続端子を押圧する押圧手段を開示している。この構成によれば、コネクタボディ部を相手側部材と一緒に連結されている状態にすることができる。
【先行技術文献】
【特許文献】
【０００６】
【特許文献１】特開２０１０−１５７４５８号公報
【発明の概要】
【発明が解決しようとする課題】
【０００７】
しかしながら、前述した特許文献１の構成は、プラグの背面が平面であることを前提とした技術である。したがって、プラグの背面に起伏・傾斜がある場合には、相手側のコンセント又はインレットなどのプラグ受けに対して、プラグを垂直に押圧することはできなかった。さらに、現在では、様々な形状や大きさの電源プラグが出回っているため、前述した特許文献1の構成では、対応できない、という問題もあった。
そこで、本発明は、プラグの背面を略垂直に押圧することのできるプラグ保持装置を提供することを目的としている。
【課題を解決するための手段】
【０００８】
前記目的を達成するために、本発明のプラグ保持装置は、プラグをプラグ受けに接続した状態に保持するプラグ保持装置であって、プラグ受けが配置される壁又は筐体の表面に対して略垂直に取り付けられる支持脚部材と、前記支持脚部材に取り付けられて、前記壁又は筐体の表面に対して略垂直に前記プラグの背面を押圧するように構成される押圧部材とを備える。
【発明の効果】
【０００９】
このように、本発明のプラグ保持装置は、プラグ受けが配置される壁又は筐体の表面に対して略垂直に取り付けられる支持脚部材と、支持脚部材に取り付けられて、壁又は筐体の表面に対して略垂直にプラグの背面を押圧するように構成される押圧部材とを備えることを特徴としている。したがって、壁又は筐体の表面に対して略垂直にプラグの背面を押圧することができる。
【図面の簡単な説明】
【００１０】
【図１】実施例１のプラグ保持装置の斜視図である。
【図２】支持脚部材の説明図である。（ａ）は正面図であり、（ｂ）は側面図であり、（ｃ）は平面図である。
【図３】押圧部材の説明図である。（ａ）は正面図であり、（ｂ）は側面図であり、（ｃ）は平面図である。
【図４】ガイド部材の説明図である。（ａ）は正面図であり、（ｂ）は側面図であり、（ｃ）は平面図である。
【図５】ガイド部材の作用を説明する作用図である。（ａ）は押圧部材を旋回不能にした状態であり、（ｂ）は押圧部材を旋回可能にした状態である。
【図６】実施例１のプラグ保持装置の取付手順を説明する作用図である。プラグ差込直前の状態である。
【図７】実施例１のプラグ保持装置の取付手順を説明する作用図である。プラグ差込直後の状態である。
【図８】実施例１のプラグ保持装置の取付手順を説明する作用図である。押圧部材を旋回させた状態である。
【図９】実施例１のプラグ保持装置の取付手順を説明する作用図である。（ａ）はガイド部材をスライドさせた状態であり、（ｂ）はボルトを締め付けた状態である。
【図１０】実施例２のプラグ保持装置の斜視図である。
【図１１】支持脚部材の説明図である。（ａ）は正面図であり、（ｂ）は側面図であり、（ｃ）は平面図である。
【図１２】押圧部材の説明図である。（ａ）は正面図であり、（ｂ）は側面図であり、（ｃ）は平面図である。
【図１３】取付板の平面図である。（ａ）はコ字状の場合であり、（ｂ）はロ字状の場合である。
【図１４】実施例３のプラグ保持装置の斜視図である。
【図１５】実施例４のプラグ保持装置を備えた電源ボックスの斜視図である。
【図１６】実施例５の補強部材を説明する説明図である。（ａ）は分解図であり、（ｂ）は取り付けた状態の図である。
【図１７】実施例５の補強部材の説明図である。（ａ）は正面図であり、（ｂ）は側面図であり、（ｃ）は平面図である。
【発明を実施するための形態】
【００１１】
以下、本発明の実施の形態について図面を参照して説明する。
【実施例１】
【００１２】
実施例１では、プラグ５を壁７のコンセント６（プラグ受け）に接続する場合について説明する。
【００１３】
まず、図１を用いて本実施例のプラグ保持装置１の全体構成を説明する。本実施例のプラグ保持装置１は、プラグ５をプラグ受けとしてのコンセント６に接続した状態に保持するものである。プラグ保持装置１は、コンセント６が配置される壁７の表面に対して略垂直に取り付けられる２つの支持脚部材２、２と、支持脚部材２、２に取り付けられて壁７の表面に対して略垂直にプラグ５の背面を押圧するように構成される押圧部材３とを備えている。また、プラグ保持装置１は、押圧部材３と支持脚部材２とを重ねた状態で、両者をまとめて把持するように外側に嵌合されて、壁７の表面に対して略垂直な方向にのみ押圧部材３を移動できるようにするガイド部材８をさらに備えている。なお、図１では、説明の便宜のため、コンセント６に２組ある差込孔のうち上部にだけプラグ５を差し込んだ状態について説明するが、もちろん、下部の差込孔にもプラグ５を差し込むこともできる。
【００１４】
コンセント６は、単相ＡＣ１００Ｖ〜１２５Ｖにおいては、３Ｐ（接地２Ｐ）と呼ばれるプラグ５の３つの刃部材（ホット、コールド、アース）に対応して、３つの差込孔の内部に刃受部材を備えている。コンセント６の前面は、長方形のプレートで覆われており、プレートには後述する支持脚部材２の底板部２１が取り付けられている。コンセント６の前面（表面）は、壁７の表面に概ね連続しており、壁７の表面と平行な面をなす。なお、プラグ５は、単相１００Ｖの２Ｐと呼ばれる２つの刃部材を有するタイプであってもよい。さらに、ＡＣ１００Ｖに限らず、ＡＣ２００Ｖ、又は、複相である三相ＡＣ２００Ｖで使用される４Ｐ（接地３Ｐ）等にも応用可能である。また、コンセント６に３つの差込孔が２組配置される場合について説明したが、これに限定されるものではなく、１組でもよいし、３組以上であってもよい。
【００１５】
支持脚部材２は、図１、図２に示すように、全体として金属板をＬ字状に折り曲げて形成される。具体的にいうと、支持脚部材２は、コンセント６のプレートにネジによって取り付けられる底板部２１と、底板部２１から直角に折り曲げられて壁７の表面に対して略直角に突出する側板部２２と、側板部２２の側面に取り付けられる突起部２３とを備えている。なお、本実施例では、支持脚部材２を左右２つ用いる場合について説明したが、支持脚部材は片側の１つのみであってもよい。すなわち、特に、機器の背面では、他の接続端子が密集しており、スペースが制限されるため、支持脚部材を１つのみ用いることが好ましい（図１２参照）。ただし、スペースに余裕があれば、電源プラグ、インレットプラグを問わず、左右に支持脚部材２、２を備えることで、より正確に垂直に押圧することができる。
【００１６】
底板部２１は、中央近傍に取付孔２１ａが設けられて、コンセント６の差込孔の両側に１つずつネジでプレートに固定されている。プラグ５のための空間を広くとるために、側板部２２が外側になる向きに固定される。底板部２１は、コンセント６の表面に平行に配置され、コンセント６の表面と面接触する。さらに、底版部２１には、取付孔２１ａにネジ（ビス）を挿通して固定する際に、供回りしないように、取付孔２１ａに隣接してダボ用の孔を備えている。
【００１７】
側板部２２は、底板部２１に対して直角に折り曲げられて形成されるため、コンセント６の前面をなすプレートに対しても略垂直に突出するように形成される。側板部２２には、底板部２１に隣接する基端側から先端側に向かって、所定間隔をあけて複数（図２では４つ）の取付孔２２ａ、・・・が設けられている。そして、プラグ５の長さに応じて、これらの取付孔２２ａ、・・・のいずれかに、座金及びネジから構成される旋回軸２４が取り付けられる。側板部２２は、壁７に対して略垂直な姿勢となっているため、旋回軸２４は壁７に対して略平行に配置されることになる。
【００１８】
突起部２３は、直方体状に構成されるものであり、平行な面間を貫通する螺合孔２３ａが設けられる。この螺合孔２３ａの方向が底板部２１に対して垂直になるように、突起部２３は、側板部２２の内側面における先端寄りに、取付孔２２ａを避けて幅方向片側に寄った位置に取り付けられる。なお、鋳造によって支持脚部材２を成形する場合には、突起部２３は、幅方向の中央近傍に取付孔２２ａと重なる位置に配置することもできる。
【００１９】
また、押圧部材３は、図１、図３に示すように、全体として金属板をコ字状に折り曲げて形成される。具体的にいうと、押圧部材３は、プラグ５の背面に押し当てられる押圧面部３１と、押圧面部３１の両側を曲げて形成される、支持脚部材２の２つの側板部２２、２２に沿わされる２つの側板部３２、３２とを備えている。なお、支持脚部材２を１つのみ用いる場合には、側板部３２も１つのみとなる。
【００２０】
押圧面部３１は、中央近傍にプラグ５に繋がるケーブルを通すための切欠きであるケーブル通し部３１ｂを備え、ケーブル通し部３１ｂの両側には挿通孔３１ａ、３１ａが設けられている。挿通孔３１ａは、押圧部材３を支持脚部材２に取り付けた状態で、壁７に垂直な方向にみて螺合孔２３ａに対応する位置に配置されている。
【００２１】
なお、図示しないが、押圧面部３１のプラグ５の背面と接触する内面には、プラグ５の背面の起伏形状（不陸）や傾斜に追従して変形できる緩衝部材を取り付けることもできる。緩衝部材としては、プラグ５の起伏に応じて異なる材質のものを用いることができる。例えば、低反発ウレタンやソルボセインなどを用いることが好ましい。これらの素材には振動吸収効果があるため、刃部材と刃受部材との間の接触電気抵抗が増えたり、刃部材及び刃受部材が振動して電圧を発生させたりする、といった問題を、プラグ保持装置１と併せていっそう低減することができる。
【００２２】
側板部３２は、押圧面部３１に対して直角に折り曲げられて形成され、支持脚部材２の側板部２２に沿うように接して略平行に配置される。したがって、押圧面部３１は、コンセント６の表面に平行に配置されている。側板部３２には、基端側から先端側に向かって、所定の長さの長孔３２ａが設けられている。そして、長孔３２ａに、いずれかの取付孔２２ａに取り付けられた旋回軸２４が挿通される。したがって、押圧部材３は、支持脚部材２に対して、旋回自在かつ摺動自在に移動できるようになる。
【００２３】
そして、プラグ保持装置１の取付手順が完了した状態では、図１に示すように、押圧部材３の押圧面部３１に設けた挿通孔３１ａに、ボルト４を挿通したうえで、支持脚部材２の突起部２３の螺合孔２３ａに螺合させて締め付ける。このような構成によって、壁７の表面に対して略垂直にプラグ５の背面を押圧することができるようになる。
【００２４】
すなわち、左右の旋回軸２４、２４の位置及びボルト４、４の位置の合計４箇所で固定されることで、押圧面部３１を壁７に対して平行に保持することができるようになる。より詳細にいうと、上下方向の回転に対しては旋回軸２４及びボルト４の壁からの距離の違いによるモーメントで対抗し、左右方向の回転に対しては旋回軸２４及びボルト４の左右の位置の違いによるモーメントと両側にある支持脚部材２、２によるモーメントとによって対抗する。
【００２５】
（ガイド部材について）
ここで、図４及び図５を用いて、ガイド部材８について説明する。上述したように、ガイド部材８は、押圧部材３と支持脚部材２とを重ねた状態で、両者をまとめて把持するようにこれらの部材の外側に嵌合されて、壁７の表面に対して略垂直な方向にのみ押圧部材３を移動できるようにする。
【００２６】
ガイド部材８は、金属板によって全体として矩形の略平板状に形成され、図８に示すように、長孔８１ａを有する側板部８１と、側板部８１に垂直なフランジ部８２とを備えている。ガイド部材８の側板部８１の長さ及び幅は、押圧部材３の側板部３２の長さ及び幅と略同一となっている。なお、ガイド部材８は、支持脚部材２の使用本数に限らず、さらに、押圧部材３の種類に限らず使用できる。
【００２７】
側板部８１は、押圧部材３の側板部３２の外側に接触させられ、押圧部材３の側板部３２及び支持脚部材２の側板部２２に平行に重ね合わされ、長穴８１ａに座金及びネジから構成される旋回軸２４を挿通することによって取り付けられる。したがって、ガイド部材８は、押圧部材３及び支持脚部材２の両方に対して摺動自在である。
【００２８】
フランジ部８２は、側板部８１の長孔８１ａと平行な２辺に沿って、側板部８１と略垂直に取り付けられる。側板部８１からのフランジ部８２の突出高さは、重ね合わせた状態で押圧部材３の側板部３２及び支持脚部材２の側板部２２の上縁及び下縁を覆う高さとなっている。このため、２つの側板部３２及び側板部２２と重ね合わされた状態で、両者の相対的な上下動を抑制することができる。
【００２９】
さらに、フランジ部８２の長孔８１ａに沿う方向の長さは、側板部８１の全長（押圧部材３の側板部３２の全長と同じ）よりも短くなっている。このような構成によって、ガイド部材８の位置によって、支持脚部材２に対する押圧部材３の旋回動作（上下動）を抑制できる。
【００３０】
すなわち、図５（ａ）に示すように、ガイド部材８をコンセント６側に摺動させて、支持脚部材２の側板部２２及び押圧部材３の側板部３２の上下の側端面にフランジ部８２を接触させた状態では、支持脚部材２に対して押圧部材３は旋回しない。
【００３１】
一方、図５（ｂ）に示すように、ガイド部材８を押圧部材３側に摺動させて、押圧部材３の側板部３２の上下の側端面のみにフランジ部８２を接触させた状態では、支持脚部材２に対して押圧部材３は旋回するようになる。
（手順）
【００３２】
次に、図６〜図９を用いて、本実施例のプラグ保持装置１によって、プラグ５をプラグ受けとしてのコンセント６に接続した状態で保持する手順（１）〜（４）について説明する。
【００３３】
（１）プラグ差込直前（図６）
プラグ５（不図示）の差込前は、プラグ５をコンセント６の差込孔に差し込むときに邪魔にならないように、押圧部材３を支持脚部材２に取り付けた状態で、押圧部材３を上（又は下）に旋回させて持ち上げておく。ガイド部材８は、支持脚部材２に対する押圧部材３の回転を許すように、押圧部材３側に引き抜かれている。
【００３４】
（２）プラグ差込直後（図７）
プラグ５を手で持ってコンセント６の差込孔に挿す。すなわち、３つの刃部材を差込孔の内部の刃受部材によって挟持させる。この状態では、プラグ５を手で持って壁７から引き離すことでプラグ５を引き抜くことができる。ガイド部材８は、引き抜かれた状態のままである。
【００３５】
（３）押圧部材を旋回・摺動（図８）
押圧部材３を、押圧面部３１のケーブル通し部３１ｂがケーブルに対応する位置まで手（不図示）で持って旋回させる。押圧部材３の内面はプラグ５の背面と接触していない。ガイド部材８は、引き抜かれた状態のままである。
【００３６】
（４）押圧部材を締付（図９）
図９（ａ）に示すように、ガイド部材８を支持脚部材２側（壁７側）に押し込んで、押圧部材３の旋回移動を制止する。すなわち、ガイド部材８のフランジ部８２、８２によって、支持脚部材２の側板部２２及び押圧部材３の側板部３２の上下縁部を把持して、両者の相対的な回転を防止する。
【００３７】
次に、図９（ｂ）に示すように、押圧部材３を押し込んでプラグ５の背面に接触させる。そして、プラグ５の背面に接触させた状態で、ボルト４を押圧面部３１の挿通孔３１ａに挿通させ、さらに支持脚部材２の突起部２３の螺合孔２３ａに螺合させて締め付ける。
【００３８】
（効果）
次に、本実施例のプラグ保持装置１の効果を列挙して説明する。
【００３９】
（１）本実施例のプラグ保持装置１は、プラグ５をプラグ受けとしてのコンセント６に接続した状態に保持するプラグ保持装置１である。そして、プラグ保持装置１は、コンセント５が配置される壁７の表面に対して略垂直に取り付けられる支持脚部材２と、支持脚部材２に取り付けられて、壁７の表面に対して略垂直にプラグ５の背面を押圧するように構成される押圧部材３とを備えている。
【００４０】
このような構成によれば、壁７の表面に対して略垂直にプラグ５の背面を押圧することができる。すなわち、押圧部材３を壁７の表面に対して略垂直方向にのみ摺動移動するように規制することで、プラグ５の背面形状に凹凸や傾斜がある場合でも、プラグ５を垂直に押圧することができる。
【００４１】
（２）支持脚部材２は、壁７の表面に対して略垂直に配置される、螺合孔２３ａを有するとともに、押圧部材３には、壁７の表面に対して略平行の状態を維持しつつ移動できる押圧面部３１に挿通孔３１ａが設けられて、挿通孔３１ａにボルト４を挿通させて螺合孔２３ａに締め付けるようになっている。
【００４２】
このような構成によれば、ボルト４によって押圧部材３を壁７の表面に対して略垂直に押圧できる。さらに、支持脚部材２の先端側に取り付けた突起部２３に螺合孔２３ａを設けることで、ボルト４の長さを短くできるため、ボルト４の撓みを最小限に抑制できる。
【００４３】
（３）支持脚部材２には、壁７の表面に対して略平行に旋回軸２４が取り付けられるとともに、押圧部材３には、長孔３２ａが設けられて、長孔３２ａに旋回軸２４が挿通されて、押圧部材３が支持脚部材２に対して旋回及び摺動できるようになっている。
【００４４】
このような構成によれば、旋回と摺動とを長孔３２ａ及び旋回軸２４の組合せによる１つの機構によって達成できるため、全体の構造を単純化することができる。
【００４５】
さらに、摺動については、長孔３２ａによる摺動機構と、前述のボルト４による摺動機構とによって、二重に摺動方向を規定できるため、いっそう摺動する際の上下動を抑制できる。
【００４６】
（４）支持脚部材２には、壁７の表面から間隔をあけて複数の取付孔２２ａ、・・・が設けられて、いずれかの取付孔２２ａに旋回軸２４が取り付けられるようになっている。したがって、プラグ５の大きさによって、適切な取付孔２２ａを選択することで、様々な大きさのプラグ５に対応できるようになる。
【００４７】
（５）プラグ保持装置１は、押圧部材３と支持脚部材２とを重ねた状態で、両者をまとめて把持するように外側に嵌合されて、壁７の表面に対して略垂直な方向にのみ押圧部材３を移動できるようにするガイド部材８をさらに備えることができる。したがって、よりいっそう摺動する際の上下動を抑制できる。その上、ガイド部材８を引き抜くことで、ガイド部材８を取り付けたままで、押圧部材３（及びガイド部材８）を、支持脚部材２に対して旋回させることができる。
【００４８】
（６）押圧部材３の前面には、プラグ５の背面の起伏形状に追従して変形する緩衝部材を配置することによって、プラグ５の背面を点ではなくて、面で押圧できるようになるため、いっそう安定してプラグ５を押圧できる。
【実施例２】
【００４９】
次に、図１０〜１３を用いて、実施例１とは別の形態のプラグ保持装置１Ａについて説明する。実施例２では、プラグ５をプラグ受けとしての機器の筐体７Ａのインレット６Ａに接続する場合について説明する。なお、前記実施の形態で説明した内容と同一乃至均等な部分の説明については同一符号を付して説明する。
【００５０】
（構成）
まず、構成について説明すると、本実施例のプラグ保持装置１Ａは、支持脚部材２が１つのみで、それに伴って押圧部材３の側板部３２が１つになっている点を除いて、実施例１のプラグ保持装置１と概ね同様の構成となっている。
【００５１】
具体的にいうと、プラグ保持装置１Ａは、インレット６Ａが配置される筐体７Ａの表面に取り付けられた取付板７１に対して略垂直に取り付けられる１つの支持脚部材２と、支持脚部材２に取り付けられて筐体７Ａの表面に対して略垂直にプラグ５の背面を押圧するように構成される押圧部材３とを備えている。支持脚部材２は、プラグ５の上に取り付けられるため、旋回軸２４は垂直に設けられ、したがって押圧部材３は水平方向に旋回する。
【００５２】
支持脚部材２は、図１０、図１１に示すように、全体として金属板をＬ字状に折り曲げて形成される。支持脚部材２は、底板部２１と側板部２２と突起部２３とを備えている。
【００５３】
押圧部材３は、図１０、図１２に示すように、全体として金属板をＬ字状に折り曲げて形成される。具体的にいうと、押圧部材３は、プラグ５の背面に押し当てられる押圧面部３１と、押圧面部３１の片側を曲げて形成される、支持脚部材２の側板部２２に沿わされる側板部３２とを備えている。
【００５４】
そして、プラグ保持装置１Ａの取付手順が完了した状態では、図１０に示すように、押圧部材３の押圧面部３１に設けた挿通孔３１ａに、ボルト４を挿通したうえで、支持脚部材２の突起部２３の螺合孔２３ａに螺合させて締め付ける。
【００５５】
取付板７１は、図１３（ａ）に示すように、支持脚部材２を１つのみ用いる場合には、金属板によって全体としてコ字形に形成されている。そして、取付板７１に２つある突出部分には、それぞれ取付孔７１ａが設けられて、インレット６Ａを取り付けるネジによって、筐体７Ａに取り付けられる。さらに、中央部には支持脚部材２の取付孔２１ｂが設けられるとともに、隣接してダボ用の孔が設けられている。なお、支持脚部材２を２つ用いる場合には、取付板７１は、図１３（ｂ）に示すように、金属板によって全体としてロ字状に形成される。
【００５６】
そして、本実施例のプラグ保持装置１は、押圧部材３の外側に、プラグ５に繋がっているケーブルを支持するケーブルサポート３４をさらに備えている。これは、支持脚部材２が１つになっているために押圧部材３が支持脚部材のない側に変位する（ずれる）ことを防止するためである。例えば、図１０において、ケーブルサポート３４は、プラグ５の下方への変位（ずれ）を防止する。ケーブルサポート３４は、押圧部材３に相対的に上下に移動できるようになっており、プラグ５に対するケーブルの付け根を下方から支えて、ケーブルの付け根ごとプラグ５の下方への変位を防止するものである。すなわち、ケーブルサポート３４は、片側支持によるプラグ５のずれ（又は傾斜）を抑制するためのものである。
【００５７】
（作用・効果）
次に、本実施例のプラグ保持装置１Ａの効果を列挙して説明する。
【００５８】
（１）プラグ５をプラグ受けとしての機器の筐体７Ａのインレット６Ａに接続した状態に保持するプラグ保持装置１Ａである。そしてプラグ保持装置１Ａは、インレット６Ａが配置される筐体７Ａの表面に対して略垂直に取り付けられる支持脚部材２と、支持脚部材２に取り付けられて、筐体７Ａの表面に対して略垂直にプラグ５の背面を押圧するように構成される押圧部材３とを備えている。
【００５９】
このような構成によれば、筐体７Ａの表面に対して略垂直にプラグ５の背面を押圧することができる。すなわち、押圧部材３を筐体７Ａの表面に対して略垂直方向にのみ摺動移動するように規制することで、プラグ５の背面形状に凹凸や傾斜がある場合でも、プラグ５を垂直に押圧することができる。
さらに、ケーブルサポート３４は、押圧部材３に相対的に上下に移動できるようになっており、プラグ５に対するケーブルの付け根を下方から支えて、ケーブルの付け根ごとプラグ５の下方への変位を防止できる。
【００６０】
なお、この他の構成および作用効果については、前記実施の形態と略同様であるため説明を省略する。
【実施例３】
【００６１】
次に、図１４を用いて、実施例１、２とは別の形態のプラグ保持装置１Ｂについて説明する。実施例３では、押圧部材３が２連形状である場合について説明する。なお、前記実施の形態で説明した内容と同一乃至均等な部分の説明については同一符号を付して説明する。
【００６２】
図１４に示すように、本実施例のプラグ保持装置１Ｂの押圧部材３は、２つのプラグ５を押圧できるように、ケーブル通し部をめがね状（２連）に２つ備えている。すなわち、２つのコ字状のケーブル通し部が、コ字の開いた部分を同じ方向にして、上下に並んで配置されている。
【００６３】
このように、本実施例のプラグ保持装置１Ｂは、２連形状の押圧部材３を備えているため、２つのプラグ５、５の背面を同時に押圧することができる。さらに、２つのインレット６Ａ、６Ａの間に隙間がない場合でも、支持脚部２、２が全体を包含するように配置されることで、２つのプラグ５、５を強固に押圧できる。なお、プラグ５、５の背面の高さが異なる場合には、高さ調整用に押圧部材３の内面に緩衝部材を取り付けることもできる。
【００６４】
なお、この他の構成および作用効果については、前記実施の形態と略同様であるため説明を省略する。
【実施例４】
【００６５】
次に、図１５を用いて、プラグ保持装置１、１、１Ｂを備える、オーディオ用などの電源ボックス７Ｂについて説明する。なお、前記実施の形態で説明した内容と同一乃至均等な部分の説明については同一符号を付して説明する。
【００６６】
本実施例の電源ボックス７Ｂ（又は電源タップ）は、金属などによって直方体の箱状に形成されるものである。そして、一面にはコンセント６に配置するタイプの２つのプラグ保持装置１、１を備え、他の一面にはインレット６Ａに配置するタイプの１つのプラグ保持装置１Ｂを備えている。
【００６７】
このように、電源ボックス７Ｂにプラグ保持装置１、１、１Ｂを取り付けることによって、電源ボックス７Ｂに取り付けたプラグ（不図示）が外れることを防止できる。
【００６８】
なお、この他の構成および作用効果については、前記実施の形態と略同様であるため説明を省略する。
【実施例５】
【００６９】
次に、図１６、図１７を用いて、筐体７Ａの背面パネル７３を補強する補強部材９について説明する。なお、前記実施の形態で説明した内容と同一乃至均等な部分の説明については同一符号を付して説明する。
【００７０】
一般に、機器の筐体７Ａの背面パネル７３からは、筐体７Ａの内部から見ると、インレット６Ａを取り付けるための取付ネジ７２（又はビス）が突出している。すなわち、図１６（ｂ）に示すように、取付ネジ７２の先端は、背面パネル７３から突出している。突出量は、平均６ｍｍ程度である。
【００７１】
本実施例では、このように突出している取付ネジ７２を利用して、ブロック状の補強部材９を背面パネル７３に沿わせて内側から取り付けている。具体的にいうと、まず補強部材９の左右両側の受孔９０、９０を取付ネジ７２、７２の位置に合わせる。次に、ダボ部材９１、９１を受孔９０、９０に通し、ダボ部材９１自体に設けた雌ネジ溝を、ミリネジである取付ネジ７２にレンチ９２で締めつける。あるいは、ダボ部材９１自体に設けた下穴に、タッピングネジである取付ネジ７２をレンチ９２で溝を切りながら締めつける。
【００７２】
補強部材９は、厚みのある金属板（ブロック）によって全体としてコ字状に形成されるものであり、コ字の突出した部分にはダボ部材９１を嵌合するための受孔９０が設けられている。取り付けられた状態では、補強部材９の片面は、背面パネル７３に押し当てられている。補強部材９の厚みは、取付ネジ７２の突出量よりも厚く、かつ、ダボ部材９１の垂直螺合性を担保するために、所定の厚みを有するようにされる。
【００７３】
ダボ部材９１は、金属によって略円柱状に形成されるものであり、円柱状の本体部と、本体部の一方の端部を径方向に拡径した拡径部（鍔部）と、を備える。本体部は、補強部材９の受孔９０の内径と同一の外径を有し、軸芯に沿って貫通するネジ溝又は下穴が設けられている。本体部の厚み（長さ）は、補強部材９の厚みよりも小さくされるが、補強部材９に嵌合された状態で、背面パネル７３から突出している取付ネジ７２の先端と螺合する程度の厚みは必要である。そして、取り付けられた状態では、本体部は受孔９０内に嵌入され、拡径部（鍔部）は補強部材９を背面パネル７３に押圧している。
【００７４】
上述したように、本実施例では、機器の筐体７Ａの背面パネル７３を機器の内部から補強するために、ブロック状の補強部材９をインレット６Ａの取付ネジ７２を利用して取り付けることができる。
【００７５】
このような構成によれば、機器の背面パネル７３を機器内部から補強して、背面パネル７３の変形を抑制できる。特に、本発明のように、プラグ保持装置１を背面パネル７３に取り付けた場合、てこの原理によって背面パネル７３に作用する荷重が大きくなる。すなわち、プラグ保持装置１を用いることで、プラグ５を含んだ保持構造全体の剛性が高まるため、従前はプラグ５を引き抜くように作用していた荷重が、筐体７Ａを引っ張るように作用することになる。
【００７６】
そこで、本実施例のように補強部材９によって背面パネル７３を補強することで、インレット６Ａ近傍の背面パネル７３の変形を抑制するようにしている。なお、インレット６Ａの上下には筐体７Ａの上下面をなすパネルが存在しているため、インレット６Ａ近傍の変形を抑制することで背面パネル７３全体の変形を抑制できる。
【００７７】
なお、この他の構成および作用効果については、前記実施の形態と略同様であるため説明を省略する。
【００７８】
以上、図面を参照して、本発明の実施例を詳述してきたが、具体的な構成は、これらの実施例に限らず、本発明の要旨を逸脱しない程度の設計的変更は、本発明に含まれる。
【００７９】
例えば、実施例では、支持脚部材２の突起部２３を取り付け、突起部２３に螺合孔２３ａを設けて、ボルト４を螺合させる構成について説明したがこれに限定されるものではない。突起部２３に螺合軸（不図示）を設けて、挿通孔３１ａに挿通させてナットで固定するように構成してもよい。
【００８０】
また、実施例では、ガイド部材８を使用する場合について説明したが、ガイド部材８は使用しなくてもよい。
【００８１】
さらに、実施例３では、押圧部材３が２連形状である場合について説明したが、これに限定されるものではなく、３連形状以上であってもよい。
【符号の説明】
【００８２】
１、１Ａ、１Ｂ  プラグ保持装置
２          支持脚部材
２１        底板部
２２        側板部
２２ａ      取付孔
２３        突起部
２３ａ      螺合孔
３          押圧部材
３１        押圧面部
３１ａ      挿通孔
３２        側板部
３２ａ      長孔
４          ボルト
５          プラグ
６、６Ａ    プラグ受け
７          壁
７Ａ        筐体
７Ｂ        電源ボックス
８          ガイド部材
９          補強部材
【要約】
【課題】プラグの背面を略垂直に押圧することのできるプラグ保持装置を提供する。
【解決手段】プラグ５をプラグ受けとしてのコンセント６に接続した状態に保持するプラグ保持装置１である。そして、プラグ保持装置１は、コンセント５が配置される壁７の表面に対して略垂直に取り付けられる支持脚部材２と、支持脚部材２に取り付けられて、壁７の表面に対して略垂直にプラグ５の背面を押圧するように構成される押圧部材３とを備えている。
【選択図】図１【図１】
0005575343.tif 000002
【図２】
0005575343.tif 000003
【図３】
0005575343.tif 000004
【図４】
0005575343.tif 000005
【図５】
0005575343.tif 000006
【図６】
0005575343.tif 000007
【図７】
0005575343.tif 000008
【図８】
0005575343.tif 000009
【図９】
0005575343.tif 000010
【図１０】
0005575343.tif 000011
【図１１】
0005575343.tif 000012
【図１２】
0005575343.tif 000013
【図１３】
0005575343.tif 000014
【図１４】
0005575343.tif 000015
【図１５】
0005575343.tif 000016
【図１６】
0005575343.tif 000017
【図１７】
0005575343.tif 000018